(57)【要約】      （修正有）【課題】製造に高い技術力や手間を必要とせずに、座り心地のよい椅子を提供する。【解決手段】椅子本体Ａ２に座板Ａ３及び背板Ａ４を支持させてなる椅子Ａ１の座板Ａ３が、樹脂により一体成形される板材Ａ３１に補強用のシートたる張り材を附帯させてなり、前記板材Ａ３１裏面の前記張り材が存在する範囲内に弾性変形を助長するための溝を備えている構成を採用する。【選択図】図２
2011245032.tif 000002
【特許請求の範囲】
【請求項１】
椅子本体に座板及び背板を支持させてなる椅子であって、
前記座板及び背板の少なくとも一方が、樹脂により一体成形される板材に補強用のシートを附帯させてなり、前記板材の前記シートが存在する範囲内に弾性変形を助長するための溝を備えていることを特徴とする椅子。
【請求項２】
前記シートが、前記板材の裏面に前記溝を覆うようにして設けられた張り材であり、前記張り材が、前記板材の溝の設けられていない縁部間に張り設けられたものである請求項１記載の椅子。
【請求項３】
前記板材の周縁部を椅子本体のフレームにより支持するようにしたものであって、
前記板材が、フレームによって支持される周縁部と、この周縁部に囲まれた中間部とを備えたものであり、前記中間部における前記周縁部との境界をなす部位に前記溝を備えている請求項１又は２記載の椅子。
【請求項４】
前記板材が、前記中間部の前後方向中間位置に当該中間部を前後に分断する溝を備えている請求項３記載の椅子。
【請求項５】
前記板材の周縁部を椅子本体のフレームにより支持するようにしたものであって、
前記板材が、フレームによって支持される周縁部と、この周縁部に囲まれた中間部とを備えたものであり、前記中間部に格子状の溝を備えている請求項１、２、３または４記載の椅子。
【請求項６】
前記溝が、各部において幅寸法及び深さ寸法の少なくとも一方が異なるものである請求項１、２、３、４または５記載の椅子。
【請求項７】
前記座板及び背板の少なくとも一方が、着座者からの荷重を、弾性変形する前記板材と、この板材の弾性変形に伴って張力が変更されるシートたる張り材とによって分担して受けるようにしたものである請求項１、２、３、４、５または６記載の椅子。
【請求項８】
前記シートたる張り材が、周縁部に玉縁を形成したものであり、その玉縁が前記板材とこの板材を支持する椅子本体のフレームとの間に挟み込まれることによって前記板材の裏面に張り設けられている請求項１、２、３、４、５、６または７記載の椅子。
【請求項９】
前記シートたる張り材の周縁に係止部材を設け、座板に設けた係止部にこの係止部材を係り合わせることにより、前記張り材が前記板材の裏面に張り設けられる請求項１、２、３、４、５、６または７記載の椅子。
【請求項１０】
前記シートたる張り材の周縁部を前記板材に溶着することによりこれら張り材及び板材を一体に形成してなる請求項１、２、３、４、５、６または７記載の椅子。
【請求項１１】
前記座板及び背板の少なくとも一方が、前記板材とシートとの間に機能性シートを介在させたものである請求項１、２、３、４、５、６、７、８、９または１０記載の椅子。
【発明の詳細な説明】
【技術分野】
【０００１】
本発明は、学校用または事務用等として好適に使用される椅子に関する。
【背景技術】
【０００２】
従来、この種の椅子では、比較的長時間着座されることが少なくないため、座り心地が重視され、種々の改善がなされてきた。近時、非常に座り心地のよい椅子として、枠材に張設したメッシュにより着座者の荷重を弾性的に受けるようにしたメッシュタイプの椅子が開発されている（例えば、特許文献１を参照）。
【０００３】
ところが、このようなメッシュタイプの椅子では、枠材に座面あるいは背凭れ面に作用する荷重の大部分を受けるためのメッシュを適切な張力をもって張り設ける必要があり、その支持構造に高い強度が要求されるとともに、その張設作業に高度な技術力が求められる。また、弾性のあるメッシュ材を枠で囲むため，周囲と中央部の弾性の差が極端に異なり、枠部のみ固く感じることとなり、目的を損なうこととなる。
【先行技術文献】
【特許文献】
【０００４】
【特許文献１】特開２００７−２０２５９１号公報
【発明の概要】
【発明が解決しようとする課題】
【０００５】
本発明は、以上のような事情に着目してなされたものであり、製造に高い技術力や手間を必要とせずに、座り心地のよい椅子を提供することを目的とする。
【課題を解決するための手段】
【０００６】
本発明は、以上のような課題を解決するために、次のような構成を採用したものである。すなわち、本発明に係る椅子は、椅子本体に座板及び背板を支持させてなる椅子であって、前記座板及び背板の少なくとも一方が、樹脂により一体成形される板材に補強用のシートを附帯させてなり、前記板材の前記シートが存在する範囲内に弾性変形を助長するための溝を備えていることを特徴とする。
【０００７】
このようなものであれば、弾性変形を助長するための溝を設けた板材により着座者の荷重を主として弾性的に受けるようにしているので、従来のような枠材にメッシュを張り設けたものに比べて、製造に高い技術力や手間を必要とせずに座り心地のよい椅子を実現できる。また、補強用のシートにより板材がバックアップされるので、座板又は背板全体としての弾性を必要に応じて種々の値に設定することが容易になる。また、表面は同一の板材となるため、従来のメッシュ張りの椅子のような、固い枠と、弾性のあるネットとの極端な違いを感じることなく、連続した変形をもたらすことができる。
【０００８】
このような椅子を容易に形成できる態様の一例として、前記シートが、前記板材の裏面に前記溝を覆うようにして設けられた張り材であり、前記張り材が、前記板材の溝の設けられていない縁部間に張り設けられたものが挙げられる。
【０００９】
前記板材の周縁部を椅子本体のフレームにより支持する場合の好適な形態としては、前記板材が、フレームによって支持される周縁部と、この周縁部に囲まれた中間部とを備えたものであり、前記中間部における前記周縁部との境界をなす部位に前記溝を備えているものが挙げられる。
【００１０】
前記板材の更に好適な例としては、前記溝に加え、前記中間部の前後方向中間位置に当該中間部を前後に分断する第２の溝をさらに備えているものが挙げられる。
【００１１】
前記板材の周縁部を椅子本体のフレームにより支持する場合の他の好適な形態としては、前記板材が、フレームによって支持される周縁部と、この周縁部に囲まれた中間部とを備えたものであり、前記中間部に格子状の溝を備えているものが挙げられる。
【００１２】
このような椅子においてさらなる座り心地の向上を図るための形態として、前記溝が、各部において幅寸法及び深さ寸法の少なくとも一方が異なるものが挙げられる。
【００１３】
このような構成の椅子においては、前記座板及び背板の少なくとも一方が、着座者からの荷重を、弾性変形する前記板材と、この板材の弾性変形に伴って張力が変更されるシートたる張り材とによって分担して受けるようにしたものがより好ましい。
【００１４】
前記シートたる張り材の板材に対する取付態様はどのようなものであってもよいが、その例としては、前記シートたる張り材の周縁部に玉縁を形成し、その玉縁が前記板材とこの板材を支持する椅子本体のフレームとの間に挟み込まれることによって前記板材の裏面に張り設けられるようにした態様や、前記シートたる張り材の周縁に係止部材を設け、座板に設けた係止部にこの係止部材を係り合わせることにより、前記張り材を前記板材の裏面に張り設ける態様等が考えられる。さらに、前記シートたる張り材の周縁部を前記板材に溶着することによりこれら張り材及び板材を一体に形成する態様も考えられる。
【００１５】
前記補強用のシートは、前記板材に直接張り設けてもよいが、そのシートと板材との間に機能性シートを介在させてもよい。機能性シートとしては、弾力性を強化するためのシートや、保温性を高めるためのシート等、種々のものが考えられる。
【発明の効果】
【００１６】
本発明は、以上のような構成であるから、製造に高い技術力や手間を必要とせずに、座り心地のよい椅子を提供することができる。
【図面の簡単な説明】
【００１７】
【図１】本発明の第１実施形態を示す全体斜視図。
【図２】同実施形態の背面側を示す全体斜視図。
【図３】同実施形態を示す分解斜視図。
【図４】同実施形態の座板を示す平面図。
【図５】同実施形態の座板を示す斜視図。
【図６】本発明の第２実施形態を示す全体斜視図。
【図７】同実施形態の背面側を示す全体斜視図。
【図８】同実施形態を示す中央側断面図。
【図９】本発明の第３実施形態を示す側面図。
【図１０】同実施形態の座板を示す分解斜視図。
【図１１】本発明の第４実施形態を示す全体斜視図。
【図１２】同実施形態の椅子の使用態様を模式的に示す側面図。
【図１３】同実施形態の椅子の使用態様を模式的に示す側面図。
【図１４】本発明の第５実施形態の背面側を示す全体斜視図。
【図１５】同実施形態を示す分解斜視図。
【図１６】同実施形態の座板を示す平面図。
【図１７】同実施形態の座板を示す斜視図。
【図１８】本発明の取付体の変形例を模式的に示す説明図。
【図１９】本発明のシートの設置態様の変形例を模式的に示す説明図。
【図２０】本発明のシートの設置態様の変形例を模式的に示す説明図。
【発明を実施するための形態】
【００１８】
以下、本発明の第１実施形態について図１ないし図５を参照して説明する。
【００１９】
この実施形態は、本発明を上下方向にスタッキング可能な椅子Ａ１に適用したものである。この椅子Ａ１は、椅子本体Ａ２に座板Ａ３及び背板Ａ４を支持させてなるものである。
【００２０】
椅子本体Ａ２は、図１、図２及び図３に示すように、接地体Ａ２１１を介して床上に載置される左右のベースＡ２１と、これら各ベースＡ２１の前端から上方に延出する左右の前脚Ａ２２と、前記各ベースＡ２１の後端から上方に延出する左右の後脚Ａ２３と、これら後脚Ａ２３の上端間に架設された後フレームＡ２４と、この後フレームＡ２４の両端近傍部と前記前脚Ａ２２の上端とを繋ぐ左右の側フレームＡ２５と、これら側フレームＡ２５の前端近傍部間に架設された前フレームＡ２６と、前記後脚Ａ２３の上端から上方に延出する左右の背フレームＡ２７とを備えてなる。前記ベースＡ２１、前脚Ａ２２、後脚Ａ２３、側フレームＡ２５、及び、背フレームＡ２７は、共通の金属線材を折曲げることにより一体に構成されたもので、前記座板Ａ３及び背板Ａ４に作用する荷重を受けることが可能な強度を備えている。そして、前記左右の側フレームＡ２５に前記座板Ａ３を支持させている。
【００２１】
座板Ａ３は、図１ないし図５に示すように、樹脂により一体成形され裏面に弾性変形を助長するための第１の溝Ａ６１ａ及び第２の溝Ａ６１ｂを備えた板材Ａ３１と、この板材Ａ３１の下面に突設した取付体Ａ３２と、前記板材Ａ３１の裏面に前記第１の溝Ａ６１ａ及び第２の溝Ａ６１ｂを覆うようにして設けられた補強用のシートたる張り材Ａ３３とを備えたものである。この実施形態においては、板材Ａ３１と取付体Ａ３２とは、樹脂により一体に成形されている。また、第１の溝Ａ６１ａ及び第２の溝Ａ６１ｂは、張り材Ａ３３が存在する範囲内に設けられている。
【００２２】
板材Ａ３１は、図１ないし図５に示すように、椅子本体Ａ２の左右の側フレームＡ２５に支持される周縁部Ａ５と、この周縁部Ａ５の内側に位置する中間部Ａ６とを有し樹脂で一体に成形されたものである。
【００２３】
前記周縁部Ａ５は、図１ないし図５に示すように、中間部Ａ６の左右両側に位置する側縁部分Ａ５１と、中間部Ａ６の後側に位置する後縁部分Ａ５２と、中間部Ａ６の前側に位置する前縁部分Ａ５３とを備えたものである。前記側縁部分Ａ５１は、前記側フレームＡ２５を包み込むように下方に湾曲している。前記後縁部分Ａ５２は、後上方に向けて湾曲している。前記前縁部分Ａ５３は、前下方に向けて湾曲している。
【００２４】
前記中間部Ａ６は、図１ないし図５に示すように、前記周縁部Ａ５の前記側フレームＡ２５によって支持されている部分である側縁部分Ａ５１に隣接する部位、換言すれば、前記側縁部分Ａ５１との境界をなす部位に、左右対をなす第１の溝Ａ６１ａを有する。また、この中間部Ａ６の奥行き方向中央近傍、換言すれば、前後方向中間位置には、この中間部Ａ６を前後に分断する第２の溝Ａ６１ｂを有する。
【００２５】
前記第１の溝Ａ６１ａは、図２ないし図５に示すように、奥行き方向中央に向かうにつれ側縁部分Ａ５１から離間する平面視略「く」の字状をなす有底溝である。その幅寸法は、奥行き方向中央に向かうにつれ漸次大きくなる。
【００２６】
前記第２の溝Ａ６１ｂは、中央部が後方に膨出した平面視部分円弧状をなす有底溝である。その幅寸法は、長手方向全域にわたって一定である。
【００２７】
また、この板材Ａ３１の裏面の周縁部Ａ５と中間部Ａ６との境界には、図３ないし図５に示すように、第１の溝Ａ６１ａ及び第２の溝Ａ６１ｂを覆うように張り材Ａ３３を取り付けるための取付部たる張り材取付突起Ａ３１ａを設けている。この張り材取付突起Ａ３１ａは、略円筒状で、突出端に向かって径が漸次大きくなる形状を有する。また、この張り材取付突起Ａ３１ａは、前記周縁部Ａ５と中間部Ａ６との境界の四辺にそれぞれ所定の間隔で互いに離間させて複数個設けている。四隅部に位置する張り材取付突起Ａ３１ａは、他の張り材取付突起Ａ３１ａよりも大径にしている。
【００２８】
張り材Ａ３３は、本実施形態では、図２及び図３に示すように、略矩形状をなす布製の部材であり、厚み方向には可撓性があり面方向には伸長しにくい性質の材料により形成されている。この張り材Ａ３３の周縁には、板材Ａ３１に取り付けるための取付部、具体的には板材Ａ３１の張り材取付突起Ａ３１ａに係り合わせることが可能な取付孔Ａ３３ａを設けている。この取付孔Ａ３３ａの径は、対応する張り材取付突起Ａ３１ａの突出端の径よりは小さく、該張り材取付突起Ａ３１ａの基端の径と等しいかそれよりもやや大きい。すなわち、この張り材Ａ３３は、板材Ａ３１の各張り材取付突起Ａ３１ａに各取付孔Ａ３３ａをそれぞれ弾性的に係わり合わせることにより、板材Ａ３１の溝Ａ６１ａ、Ａ６１ｂの設けられていない縁部間、換言すれば後縁部分Ａ５２と前縁部分Ａ５３との間に張り設けられた状態で板材Ａ３１に取り付けられる。この張り材Ａ３３は、板材Ａ３１の弾性変形に伴い、側縁部分Ａ５１間が引っ張られるのでその張力が増大する。そして、着座者からの荷重を、前記板材Ａ３１と、この張り材Ａ３３とによって分担して受けるようにしてある。
【００２９】
取付体Ａ３２は、図２ないし図５に示すように、前記側縁部分Ａ５１の下面に一体に設けられている。この取付体Ａ３２は、横断面Ｃ字形をなす溝Ａ３２１を有したもので、その溝Ａ３２１を前記側フレームＡ２５に係わり合わせることにより、前記座板Ａ３を前記椅子本体Ａ２に取り付けている。
【００３０】
背板Ａ４は、図１ないし図５に示すように、両側縁に下方に開口する取付孔Ａ４１を備えたもので、その取付孔Ａ４１を前記背フレームＡ２７に嵌め合わせることによって、この背板Ａ４を椅子本体Ａ２に支持させている。
【００３１】
以上に述べたように、第１実施形態に係る椅子Ａ１は、椅子本体Ａ２に座板Ａ３及び背板Ａ４を支持させてなる椅子Ａ１であって、前記座板Ａ３の板材Ａ３１に弾性変形を助長するための溝Ａ６１を設けているので、この板材Ａ３１が、厚み方向に撓みながら着座者の荷重を主として受けるとともに、張り材Ａ３３により板材がバックアップされる。このことにより、座板Ａ３全体として適度な弾性を得ることができ、板材Ａ３１が着座者の荷重に応じて撓み変形し、座り心地のよいものとなる一方で、座板又は背板全体としての強度を確保することができる。従って、従来のような枠材に全荷重を受けるためのメッシュを張り設けたものに比べて、製造に高い技術力や手間を必要とせずに、座り心地のよい椅子を実現できる。
【００３２】
また、前記中間部Ａ６の前記側縁部分Ａ５１との境界をなす部位に第１の溝Ａ６１ａを設けているので、着座者からの荷重を受けて板材Ａ３１が弾性変形しやすい。
【００３３】
さらに、前記板材Ａ３１が、前記中間部Ａ６を前後に分断する第２の溝を備えているので、板材Ａ３１の中央部が特に変形しやすく、従ってさらなる座り心地の向上を図ることができる。
【００３４】
加えて、前記第１の溝Ａ６１ａの幅寸法が部位によって異なる、すなわち長手方向中央に向かって幅寸法が漸次大きくなるので、この点からも板材Ａ３１の奥行き方向中央部がより弾性変形しやすく、座り心地の更なる向上を図ることができる。
【００３５】
そして、前記座板Ａ３が、着座者からの荷重を、弾性変形する前記板材Ａ３１と、この板材Ａ３１の弾性変形に伴って張力が変更される張り材Ａ３３とによって分担して受けるようにしているので、このような椅子の座り心地の更なる向上、及び座板Ａ３全体としての強度の確保を図ることができる。
【００３６】
加えて、本実施形態では、突出端に向かって漸次大径となる張り材取付突起Ａ３１ａに、この張り材取付突起Ａ３１ａの突出端の径よりは小さく基端の径とは等しいかそれよりもやや大きい張り材Ａ３３の取付孔Ａ３３ａを弾性的に係わり合わせるようにすることにより張り材Ａ３３を板材Ａ３１にしているので、この張り材Ａ３３の板材Ａ３１への取り付けを容易に行うことができる。
【００３７】
次に、本発明の第２実施形態について図６ないし図８を参照して説明する。
【００３８】
この実施形態は、本発明を前後方向にネスティング可能な椅子Ｂ１に適用したものである。この椅子Ｂ１は、椅子本体Ｂ２に座板Ｂ３及び背板Ｂ４を支持させてなるものである。
【００３９】
椅子本体Ｂ２は、図６ないし図８に示すように、下端にキャスタＢ２１１を有した左右の前脚Ｂ２１と、下端にキャスタＢ２２１を有した左右の後脚Ｂ２２と、これら後脚Ｂ２２の上端と前記前脚Ｂ２１の上端とをそれぞれ繋ぐ左右の側フレームＢ２４と、これら側フレームＢ２４の前端近傍部間に架設された前フレームＢ２５と、これら側フレームＢ２４の後端近傍部間に架設された後フレームＢ２３と、この後フレームＢ２３に基端部Ｂ２８を回転可能に支持させた左右の支持フレームＢ２６と、前記後脚Ｂ２２の上端から上方に延出する左右の背フレームＢ２７とを備えてなる。前記前脚Ｂ２１と側フレームＢ２４とは、共通の金属パイプ材を折曲げることにより一体に構成されたもので、側フレームＢ２４の後端は後脚Ｂ２２の上端に溶接等により剛結されている。前記前脚Ｂ２１、後脚Ｂ２２、側フレームＢ２４、前フレームＢ２５、後フレームＢ２３、支持フレームＢ２６、及び背フレームＢ２７は、前記座板Ｂ３及び背板Ｂ４に作用する荷重を受けることが可能な強度を備えている。そして、前記支持フレームＢ２６の前端部及び後端部に前記座板Ｂ３を支持させており、座板Ｂ３が略水平になる使用位置（Ｕ）と座板Ｂ３が背板Ｂ４と略平行になる図示しない跳ね上げ位置との間で回動し得るようになっている。支持フレームＢ２６の中間部Ｂ２９には凹陥部Ｂ２９１が形成されており、前記使用位置（Ｕ）においてこの凹陥部Ｂ２９１が前フレームＢ２５に係わり合うようになっている。なお、前記左右の前脚Ｂ２１間の距離は、前記左右の後脚Ｂ２２間の距離よりも小さく設定されており、座板Ｂ３を跳ね上げた状態で同一の構造をなす他の椅子とネスティング可能になっている。
【００４０】
座板Ｂ３は、図６及び図７に示すように、樹脂により一体成形され裏面に弾性変形を助長するための図示しない溝を備えた板材Ｂ３１と、この板材Ｂ３１の下面に突設した取付体Ｂ３２と、前記板材Ｂ３１の裏面に前記溝を覆うようにして設けられた図示しない張り材とを備えたものである。この実施形態においては、板材Ｂ３１と取付体Ｂ３２とは、樹脂により一体に成形されている。
【００４１】
板材Ｂ３１は、図６及び図７に示すように、椅子本体Ｂ２の左右の支持フレームＢ２６に支持される周縁部Ｂ５と、この周縁部Ｂ５の内側に位置する中間部Ｂ６とを有し樹脂で一体に成形されたものである。
【００４２】
前記周縁部Ｂ５は、図６及び図７に示すように、中間部Ｂ６の左右両側に位置する側縁部分Ｂ５１と、中間部Ｂ６の後側に位置する後縁部分Ｂ５２と、中間部Ｂ６の前側に位置する前縁部分Ｂ５３とを備えたものである。
【００４３】
前記中間部Ｂ６は、前記第１実施形態と同じ構造をなしており、図６では、詳しい形態を省略して、中間部Ｂ６を網掛けで示している。従って、この中間部Ｂ６の下面に図示しない張り材が設けられている。
【００４４】
取付体Ｂ３２、Ｂ３３は、図６ないし図８に示すように、前記前縁部分Ｂ５３及び後縁部分Ｂ５２の下面に一体に設けられている。前の取付体Ｂ３２は、前記周縁部Ｂ５の前縁部分Ｂ５３に設けられ、後の取付体Ｂ３３は、前記周縁部Ｂ５の後縁部分Ｂ５２に設けられている。前の取付体Ｂ３２に支持フレームＢ２６の前端部を前後方向にスライド可能に取り付けるとともに、後の取付体Ｂ３３に支持フレームＢ２６の後端部を離脱不能に取り付けている。そして、前記前後の取付体Ｂ３２、Ｂ３３間は、前記支持フレームＢ２６と前記座板Ｂ３の中間部Ｂ６とが隙間Ｂ３４を介して離間しており、その隙間Ｂ３４によって前記中間部Ｂ６の厚み方向の弾性変形を許容している。
【００４５】
背板Ｂ４は、図７に示すように、両側縁に下方に開口する取付孔Ｂ４１を備えたもので、その取付孔Ｂ４１を前記背フレームＢ２７に嵌め合わせることによって、この背板Ｂ４を椅子本体Ｂ２に支持させている。
【００４６】
このような構成のものであれば、従来のネスティング可能な椅子と同様に使用することができる上に、座板Ｂ３１に関しては前述した第１実施形態に準じた効果が得られる。
【００４７】
次に、本発明の第３実施形態について図９及び図１０を参照して説明する。
【００４８】
この実施形態は、本発明を背板Ｃ４と座板Ｃ３とが一定の比率で同期して傾動するシンクロロッキング可能な椅子Ｃ１に適用したものである。この椅子Ｃ１は、椅子本体Ｃ２に座板Ｃ３及び背板Ｃ４を支持させてなるものである。
【００４９】
椅子本体Ｃ２は、図９に示すように、キャスタＣ２１１を有する脚Ｃ２１と、この脚Ｃ２１の上端に支持される支持基部Ｃ２２と、この支持基部Ｃ２２に傾動可能に支持される背支桿Ｃ２３と、この背支桿Ｃ２３及び前記支持基部Ｃ２２の上方に配された座受Ｃ２４と、この座受Ｃ２４を前記支持基部Ｃ２２及び背支桿Ｃ２３に支持させる支持機構Ｃ２５とを備えてなる。前記座受Ｃ２４は、環状をなす座フレームＣ２６と、この座フレームＣ２６の四隅に設けられた取付板Ｃ２７と、前記支持機構Ｃ２５と連結するための前連結部Ｃ２８及び後連結部Ｃ２９とを備えてなる。そして、前記座フレームＣ２６に座板Ｃ３を載置し、前記取付板Ｃ２７に挿通させた図示しないボルト等の止着具により前記座フレームＣ２６に前記座板Ｃ３を固定した状態で支持させている。前記支持機構Ｃ２５は、例えば、図１０に模式的に示すように、座フレームＣ２６の前連結部Ｃ２８を支持基部Ｃ２２の前端部に連結する自由端構造をなす前リンク要素Ｃ２５１と、背支桿Ｃ２３の中間部に設けられ前記座フレームＣ２６の後連結部Ｃ２９を回動可能に支持する座取付部Ｃ２５２とを具備してなる。
【００５０】
座板Ｃ３は、図９及び図１０に示すように、樹脂製の板材Ｃ３１と、この板材Ｃ３１の下面側に設けられた図示しない埋設ナットとを備えたもので、前記取付板Ｃ２７に挿通させた止着具が前記埋設ナットに螺着されるようになっている。
【００５１】
板材Ｃ３１は、図９及び図１０に示すように、椅子本体Ｃ２の座フレームＣ２６に支持される周縁部Ｃ５と、この周縁部Ｃ５の内側に位置する中間部Ｃ６とを有し樹脂で一体に成形されたものである。
【００５２】
前記周縁部Ｃ５は、図９及び図１０に示すように、中間部Ｃ６の左右両側に位置する側縁部分Ｃ５１と、中間部Ｃ６の後側に位置する後縁部分Ｃ５２と、中間部Ｃ６の前側に位置する前縁部分Ｃ５３とを備えたものである。前記側縁部分Ｃ５１は、前記座フレームＣ２６を包み込むように下方に湾曲している。前記後縁部分Ｃ５２は、後上方に向けて湾曲している。前記前縁部分Ｃ５３は、前下方に向けて湾曲している。
【００５３】
前記中間部Ｃ６は、前記第１実施形態と同じ構造をなしており、図９及び図１０では、詳しい形態を省略して、中間部Ｃ６を網掛けで示している。従って、この中間部Ｃ６の下面に図示しない張り材が設けられている。
【００５４】
背板Ｃ４は、図９に示すように、前記背支桿Ｃ２３の上端部に取り付けられることで、この背板Ｃ４を椅子本体Ｃ２に支持させており、前記背支桿Ｃ２３と一体的に後傾動作を行うようになっている。
【００５５】
このような構成のものであれば、従来のシンクロロッキング可能な椅子と同様に使用することができる上に、座板に関しては前述した第１実施形態に準じた効果が得られる。特に、この実施形態では、図８に示すように、座枠Ｃ２４の前連結部Ｃ２８及び後連結部Ｃ２９が、座板Ｃ３の撓む範囲下で座フレームＣ２６の左右を連結する構造ではないため、座板Ｃ３の下方への撓み変形を阻害するものが存在しない。したがって、座板Ｃ３の変形し得る範囲を大きく設定することも可能である。
【００５６】
次に、本発明の第４実施形態について図１１ないし図１３を参照して説明する。
【００５７】
この実施形態は、本発明を上下方向にスタッキングすることも前後方向にネスティングすることも可能な椅子Ｄ１に適用したものである。この椅子Ｄ１は、椅子本体Ｄ２に座板Ｄ３及び背板Ｄ４を支持させてなるものである。
【００５８】
椅子本体Ｄ２は、図１１に示すように、接地体Ｄ２１１を介して床上に載置される左右のベースＤ２１と、これら各ベースＤ２１の前端から上方に延出する左右の前脚Ｄ２２と、前記各ベースＤ２１の後端から上方に延出する左右の後脚Ｄ２３と、これら後脚Ｄ２３の上端間に架設された後フレームＤ２４と、この後フレームＤ２４の両端近傍部と前記前脚Ｄ２２の上端とを繋ぐ左右の側フレームＤ２５と、これら側フレームＤ２５の前端近傍部間に架設された前フレームＤ２６と、前記後脚Ｄ２３の上端から上方に延出する左右の背フレームＤ２７とを備えてなる。前記ベースＤ２１、前脚Ｄ２２、後脚Ｄ２３、側フレームＤ２５、及び、背フレームＤ２７は、共通の金属線材を折曲げることにより一体に構成されたもので、前記座板Ｄ３及び背板Ｄ４に作用する荷重を受けることが可能な強度を備えている。そして、座板Ｄ３は、左右の側フレームＤ２５と前フレームＤ２６に載置されるとともに、前記後フレームＤ２４に回動可能に支持されており、図１２及び図１３に示すように座板Ｄ３が略水平になる使用位置（Ｕ）と、図１３に示すように座板Ｄ３が背板Ｄ４と略平行になる跳ね上げ位置（Ｌ）との間で回動し得るようになっている。
【００５９】
なお、第１実施形態と同様に、左右のベースＤ２１同士の離間距離は、前記左右の側フレームＤ２５の離間距離よりも大きく設定してあり、図１２に示すように、同一の構造をなす他の椅子Ｄ１と上下方向にスタッキング可能になっている。特に、図１２に示すような上下方向にスタッキングする際には、上下方向に隣接する上の椅子Ｄ１の設置体Ｄ２１１の下面が、下の椅子Ｄ１のベースＤ２１の上面に載るかたちとなり、上下の椅子Ｄ１の座板Ｄ３同士が直接接触しないように設定されている。そのため、上下方向にスタッキングした際に、上の椅子Ｄ１の座板Ｄ３は、跳ね上げ方向に浮き上がらないようになっている。
【００６０】
また、前記左右の前脚Ｄ２１間の距離は、前記左右の後脚Ｄ２２間の距離よりも小さく設定されており、図１３に示すように、座板Ｄ３を跳ね上げた状態で同一の構造をなす他の椅子とネスティング可能になっている。すなわち、前記左右の側フレームＤ２５同士の離間距離、及び左右のベースＤ２１同士の離間距離は、それぞれ前方に向かって漸次小さくなるように設定されている。
【００６１】
座板Ｄ３は、図１１に示すように、板材Ｄ３１と、この板材Ｄ３１の下面に突設した取付体Ｄ３２とを備えたもので、この実施形態においては、樹脂により一体に成形されている。
【００６２】
板材Ｄ３１は、図１１に示すように、椅子本体Ｄ２の左右の側フレームＤ２５及び前フレームＤ２６及び後フレームＤ２４に支持される周縁部Ｄ５と、この周縁部Ｄ５の内側に位置する中間部Ｄ６とを有し樹脂で一体に成形されたものであり、前記中間部Ｄ６の特定箇所、この実施形態では、中間部Ｄ６の全域が、前記帯状部材及び接続片を備えた構造をなしている。
【００６３】
前記周縁部Ｄ５は、図１１に示すように、中間部Ｄ６の左右両側に位置する側縁部分Ｄ５１と、中間部Ｄ６の後側に位置する後縁部分Ｄ５２と、中間部Ｄ６の前側に位置する前縁部分Ｄ５３とを備えたものである。前記側縁部分Ｄ５１は、前記側フレームＤ２５を包み込むように下方に湾曲している。前記後縁部分Ｄ５２は、後上方に向けて湾曲している。前記前縁部分Ｄ５３は、前下方に向けて湾曲している。
【００６４】
前記中間部Ｄ６は、前記第１実施形態と同じ構造をなしている。従って、この中間部Ｄ６の下面に図示しない張り材が設けられている。図１１では、詳しい形態を省略して、中間部Ｄ６を網掛けで示している。
【００６５】
取付体Ｄ３２は、図１１に示すように、前記後縁部分Ｄ５２の下面に一体に設けられている。この取付体Ｄ３２は、横断面Ｃ字形をなす溝Ｄ３２１を有したもので、その溝Ｄ３２１を前記後フレームＤ２５に回動可能に係わり合わせることにより、前記座板Ｄ３を前記椅子本体Ｄ２に取り付けている。
【００６６】
背板Ｄ４は、図１１に示すように、両側縁に下方に開口する取付孔Ｄ４１を備えたもので、その取付孔Ｄ４１を前記背フレームＤ２７に嵌め合わせることによって、この背板Ｄ４を椅子本体Ｄ２に支持させている。
【００６７】
このような構成のものであれば、図１２に示すように上下方向にスタッキングすることも、図１３に示すように前後方向にネスティングすることも可能になる上に、座板に関しては前述した第１実施形態に準じた効果が得られる。
【００６８】
次に、本発明の第５実施形態について図１４ないし図１７を参照して説明する。
【００６９】
この実施形態は、本発明を上下方向にスタッキング可能な椅子Ｅ１に適用したものである。この椅子Ｅ１は、椅子本体Ｅ２に座板Ｅ３及び背板Ｅ４を支持させてなるものである。
【００７０】
ここで、座板Ｅ３以外は上述した第１実施形態に係るものと同一の構成を有するので、椅子本体Ｅ２及び背板Ｅ４に関し、第１実施形態と同一またはそれに相当する部位には「Ａ」を「Ｅ」に差し替えた上で、同一の名称及び符号を付して説明を省略する。
【００７１】
座板Ｅ３は、図１４ないし図１７に示すように、樹脂により一体成形され裏面に弾性変形を助長するための複数本の縦の溝Ｅ６１ａ及び複数本の横の溝Ｅ６１ｂを備えた板材Ｅ３１と、この板材Ｅ３１の下面に突設した取付体Ｅ３２と、前記板材Ｅ３１の裏面に前記縦の溝Ｅ６１ａ及び横の溝Ｅ６１ｂを覆うようにして設けられた補強用のシートたる張り材Ｅ３３とを備えたものである。この実施形態においては、板材Ｅ３１と取付体Ｅ３２とは、樹脂により一体に成形されている。この実施形態においては、縦の溝同士、及び横の溝同士は一定の間隔をあけて平行に配されており、これら縦の溝及び横の溝により格子状の形態をなしている。また、第１の溝Ｅ６１ａ及び第２の溝Ｅ６１ｂは、張り材Ｅ３３が存在する範囲内に設けられている。
【００７２】
板材Ｅ３１は、図１４ないし図１７に示すように、椅子本体Ｅ２の左右の側フレームＥ２５に支持される周縁部Ｅ５と、この周縁部Ｅ５の内側に位置する中間部Ｅ６とを有し樹脂で一体に成形されたものである。
【００７３】
前記周縁部Ｅ５は、図１４ないし図１７に示すように、中間部Ｅ６の左右両側に位置する側縁部分Ｅ５１と、中間部Ｅ６の後側に位置する後縁部分Ｅ５２と、中間部Ｅ６の前側に位置する前縁部分Ｅ５３とを備えたものである。前記側縁部分Ｅ５１は、前記側フレームＥ２５を包み込むように下方に湾曲している。前記後縁部分Ｅ５２は、後上方に向けて湾曲している。前記前縁部分Ｅ５３は、前下方に向けて湾曲している。
【００７４】
前記中間部Ｅ６には、図１４ないし図１７に示すように、略全域にわたって前述した縦の溝Ｅ６１ａと横の溝Ｅ６１ｂとを備えている。これら縦の溝Ｅ６１ａ及び横の溝Ｅ６１ｂは、図１１ないし図１４に示すように、格子状をなすように交差させて設けられている。
【００７５】
また、この板材Ｅ３１の裏面の周縁部Ｅ５と中間部Ｅ６との境界には、図１４ないし図１７に示すように、縦の溝Ｅ６１ａ及び横の溝Ｅ６１ｂを覆うように張り材Ｅ３３を取り付けるための張り材取付突起Ｅ３１ａを設けている。この張り材取付突起Ｅ３１ａは、上述した第１実施形態の張り材取付突起Ａ３１ａと略どうようの構成を有する。すなわち、略円筒状で、突出端に向かって径が漸次大きくなる形状を有する。また、この張り材取付突起Ｅ３１ａは、前記周縁部Ｅ５と中間部Ｅ６との境界の四辺にそれぞれ所定の間隔で互いに離間させて複数個設けている。四隅部に位置する張り材取付突起Ｅ３１ａは、他の張り材取付突起Ｅ３１ａよりも大径にしている。
【００７６】
張り材Ｅ３３は、本実施形態では、図１４及び図１５に示すように、略矩形状をなす布製の部材であり、厚み方向には可撓性があり面方向には伸長しにくい性質の材料により形成されている。この張り材Ｅ３３の周縁には、板材Ｅ３１に取り付けるための取付部、具体的には板材Ｅ３１の張り材取付突起Ｅ３１ａに係り合わせることが可能な取付孔Ｅ３３ａを設けている。この取付孔Ｅ３３ａの径は、対応する張り材取付突起Ｅ３１ａの突出端の径よりは小さく、該張り材取付突起Ｅ３１ａの基端の径と等しいかそれよりもやや大きい。すなわち、この張り材Ｅ３３は、板材Ｅ３１の各張り材取付突起Ｅ３１ａに各取付孔Ｅ３３ａをそれぞれ弾性的に係わり合わせることにより板材Ｅ３１の溝Ｅ６１ａ、Ｅ６１ｂの設けられていない縁部間、換言すれば後縁部分Ｅ５２と前縁部分Ｅ５３との間に張り設けられた状態で板材Ｅ３１に取り付けられる。さらに、前記張り材取付突起Ｅ３１ａには、図１５に示すように、第１及び第２の張り材固定部材Ｅ３４、Ｅ３５の透孔Ｅ３４ａ、Ｅ３５ａを係り合わせ、これら第１及び第２の張り材固定部材Ｅ３４、Ｅ３５をネジにより板材Ｅ３１に固定することで、張り材Ｅ３３を板材Ｅ３１に取り付けるようにしている。この張り材Ｅ３３は、板材Ｅ３１の弾性変形に伴ってその張力が変更される。そして、着座者からの荷重を、前記板材Ｅ３１と、この張り材Ｅ３３とによって分担して受けるようにしてある。
【００７７】
取付体Ｅ３２は、図１４ないし図１７に示すように、前記側縁部分Ｅ５１の下面に一体に設けられている。この取付体Ｅ３２は、横断面Ｃ字形をなす溝Ｅ３２１を有したもので、その溝Ｅ３２１を前記側フレームＥ２５に係わり合わせることにより、前記座板Ｅ３を前記椅子本体Ｅ２に取り付けている。
【００７８】
以上に述べたように、この椅子Ｅ１の構成によれば、板材Ｅ３１の裏面に縦の溝Ｅ６１ａ及び横の溝Ｅ６１ｂを設けているとともに、これら縦の溝Ｅ６１ａ及び横の溝Ｅ６１ｂを覆うようにして張り材Ｅ３３を設けているので、前述した第１実施形態に係るＡ１の構成の主要な効果に準じた効果が得られる。
【００７９】
さらに本実施形態の構成によれば、板材Ｅ３１の中間部Ｅ６の略全域に格子状に縦の溝Ｅ６１ａ及び横の溝Ｅ６１ｂを設けているので、着座時に板材Ｅ３１が全体的に撓む。このことにより、さらなる座り心地の向上を図ることができる。
【００８０】
また、この第５実施形態の座板Ｅ３１に準じた構成をなす座板を、前記第２実施形態の椅子本体Ｂ２、前記第３実施形態の椅子本体Ｃ２又は前記第４実施形態の椅子本体Ｄ２に組み合わせることも考えられる。
【００８１】
なお、本発明は以上に述べた実施形態に限られない。
【００８２】
例えば、前記座板の取付体は、図示実施例のものに限られないのはもちろんであり、板材に一体に設けられるものの他、別体の取付体を板材に取り付けるようにしたものであってもよい。また、取付体の形状についても種々変更可能であり、例えば、前記第１実施形態における取付体Ａ３２に代えて、図１８に模式的に示すようなものが考えられる。この取付体Ｆ７は、前記周縁部Ｆ５の側縁部分Ｆ５１の下面に一体に設けられ下方に突出する突起状のものであり、その先端部分Ｆ７１が外側方に向かって湾曲している。すなわち、この取付体Ｆ７と下方に湾曲する周縁部Ｆ５の側縁部分Ｆ５１における端縁Ｆ５１１とにより、横断面Ｃ字形をなす溝Ｆ７２を構成したもので、その溝Ｆ７２を前記側フレームＦ２５に係わり合わせることにより、前記座板Ｆ３を前記椅子本体Ｆ２に取り付けるものである。この溝Ｆ７２は、前記側フレームＦ２５を包み込むような形状をなしており、前記溝Ｆ７２の開口端Ｆ７３と前記側フレームＦ２５の下端部が略一致している。
【００８３】
また、この態様では、張り材Ｆ３３の縁部に玉縁Ｆ３３ｘを形成するとともに、縁部近傍には座の取付体Ｆ７を通過させることが可能なスリットＦ３３ｙを設け、側フレームＦ２５の外方に玉縁Ｆ３３ｘを配した状態で座の取付体Ｆ７の溝Ｆ７２に側フレームＦ２５及び玉縁Ｆ３３ｘを係り合わせて張り材Ｆ３３を取り付けるようにしている。
【００８４】
このようなものであれば、第１実施形態と比べて、座板Ｆ３を側フレームＦ２５により接近させることができるので、スタックピッチをより小さくすることができ、スタッキング効率を上げることが可能となる。
【００８５】
上述したような、周縁部に玉縁を形成し、その玉縁が前記板材とこの板材を支持する椅子本体のフレームとの間に挟み込まれることによって前記板材の裏面に張り設けられる態様の張り材の取付態様を、上述した第１〜第５実施形態の張り材に採用してももちろんよい。
【００８６】
また、前記張り材の周縁部に係止部材を設け、座板に設けた係止溝等の係止部にこの係止部材を係り合わせることにより、前記張り材が前記板材の裏面に張り設けられる態様を採用してもよい。
【００８７】
さらに、上述した第５実施形態に係る張り材固定部材を使用した張り材の板材への取付態様を、第１〜４実施形態に係る椅子に採用してももちろんよい。
【００８８】
加えて、前記張り材の周縁部を前記板材に溶着することによりこれら張り材及び板材を一体に形成する態様を採用してもよい。
【００８９】
また、板材に張り材を張り設ける態様に替えて、板材とシートとを一体に成形する態様を採用してもよい。
【００９０】
板材とシートとを一体に成形する態様の一例として、図１９に示すように、上述した第１実施形態の板材Ａ３１と同様の構成を有する板材Ｇ３１を有し、この板材Ｇ３１に上述した第１実施形態の張り材Ａ３３と同様の材料により形成したシートＧ３３を付帯させてこれら板材Ｇ３１とシートＧ３３とを一体に成形した座板Ｇ３が考えられる。この座板Ｇ３を成形する際には、先にシートＧ３３を形成し、板材Ｇ３１を形成するための金型内にこのシートＧ３３を配置した状態で金型内に樹脂を注入して板材Ｇ３１を成形する。ここで、この態様では、この座板Ｇ３の周縁部Ｇ５と中間部Ｇ６との境界ないしこの境界よりも周縁寄りの部位に、シートＧ３３の周縁に接する起立部Ｇ７１とシートＧ３３の下面に接する保持部Ｇ７２とを有し、シートＧ３３を離脱不能に保持するためのシート保持爪Ｇ７を設けている。そして、この態様では、板材Ｇ３１のシートＧ３３が存在する範囲内に、弾性変形を助長するための第１及び第２の溝Ｇ６１ａ、Ｇ６１ｂを備えている。なお、この態様に係る座板Ｇ３のその他の第１実施形態と同一またはそれに相当する各部位には「Ａ」を「Ｇ」に差し替えた上で、同一の名称及び符号を付して説明を省略する。
【００９１】
板材とシートとを一体に成形する態様の他の一例として、図２０に示すように、上述した第１実施形態の板材Ａ３１と同様の構成を有する板材Ｈ３１を有し、この板材Ｈ３１に上述した第１実施形態の張り材Ａ３３と同様の材料により形成したシートＨ３３を埋設してこれら板材Ｈ３１とシートＨ３３とを一体に成形した座板Ｇ３が考えられる。この座板Ｈ３を成形する際には、先にシートＨ３３を形成し、板材Ｈ３１を形成するための金型内にこのシートＨ３３を配置した状態で金型内に樹脂を注入し、シートＨ３３が埋設された板材Ｈ３１を成形する。そして、この態様では、板材Ｈ３１のシートＨ３３が存在する範囲内に、弾性変形を助長するための第１及び第２の溝Ｈ６１ａ、Ｈ６１ｂを備えている。なお、この態様に係る座板Ｈ３のその他の第１実施形態と同一またはそれに相当する各部位には「Ａ」を「Ｈ」に差し替えた上で、同一の名称及び符号を付して説明を省略する。
【００９２】
これらのように張り材を板材に溶着する態様や、板材とシートとを一体に成形する態様を採用すれば、板材及びシートに、これらを接合するための特殊な加工を施す必要がなくなる。
【００９３】
もちろん、上述した第２〜第５実施形態の座板に、板体とシートとを一体に成形する採用してよい。
【００９４】
さらに、板材と張り材等の補強用のシートとの間に、弾力性や保温性等を付加させるべく、ウレタン等の機能性シートを介在させてもよい。
【００９５】
加えて、上述した第１実施形態において、溝の幅寸法を漸次変化させる代わりに、段階的に変化させてもよく、また、幅寸法は長手方向全域にわたって一定にし、深さ寸法を長手方向中央に向かって漸次または段階的に大きくするようにしてもよい。
【００９６】
そして、板体は、座板を構成するものに限らず、背板を構成するものであってもよい。
【００９７】
その他、本発明の趣旨を損ねない範囲で種々に変更してよい。
【符号の説明】
【００９８】
Ａ１、Ｂ１、Ｃ１、Ｄ１、Ｅ１…椅子
Ａ２、Ｂ２、Ｃ２、Ｄ２、Ｅ２…椅子本体
Ａ３、Ｂ３、Ｃ３、Ｄ３、Ｅ３…座板
Ａ３１、Ｂ３１、Ｃ３１、Ｄ３１、Ｅ３１…板材
Ａ３３、Ｂ３３、Ｃ３３、Ｄ３３、Ｅ３３…張り材（シート）
Ａ４、Ｂ４、Ｃ４、Ｄ４、Ｅ４…背板
Ａ５、Ｂ５、Ｃ５、Ｄ５、Ｅ５…周縁部
Ａ６、Ｂ６、Ｃ６、Ｄ６、Ｅ６…中間部
Ａ６１、Ｂ６１、Ｃ６１、Ｄ６１、Ｅ６１…中間部
【図１】
2011245032.tif 000003
【図２】
2011245032.tif 000004
【図３】
2011245032.tif 000005
【図４】
2011245032.tif 000006
【図５】
2011245032.tif 000007
【図６】
2011245032.tif 000008
【図７】
2011245032.tif 000009
【図８】
2011245032.tif 000010
【図９】
2011245032.tif 000011
【図１０】
2011245032.tif 000012
【図１１】
2011245032.tif 000013
【図１２】
2011245032.tif 000014
【図１３】
2011245032.tif 000015
【図１４】
2011245032.tif 000016
【図１５】
2011245032.tif 000017
【図１６】
2011245032.tif 000018
【図１７】
2011245032.tif 000019
【図１８】
2011245032.tif 000020
【図１９】
2011245032.tif 000021
【図２０】
2011245032.tif 000022